(57)【要約】  本発明の実施形態は、データパケット送信方法および装置を提供し、通信分野に関する。この方法は、SGW-Uにより、データパケットを受信し、データパケットで搬送されたトンネル・エンドポイント識別子TEIDに従って、対応するベアラのコンテキスト情報を照合するステップと、SGW-Uが、照合によって、SGW-Uはベアラのコンテキスト情報を含まないと判定した場合に、トリガメッセージを制御プレーン用サービングゲートウェイSGW-Cに送信するステップであって、トリガメッセージがTEIDを搬送し、トリガメッセージが、TEIDに従ってベアラのコンテキスト情報を取得するためにSGW-Cによって使用される、ステップと、SGW-Cによって送信された再確立ベアラ・コンテキスト・メッセージを受信するステップであって、再確立ベアラ・コンテキスト・メッセージが、ベアラのコンテキスト情報を搬送する、ステップと、ベアラのコンテキスト情報に従ってデータパケットを送信するステップとを含む。本発明は、ユーザサービスの中断を防止することができる。
2019506051.tif 000002
【特許請求の範囲】
【請求項１】
ユーザプレーン用サービングゲートウェイ（SGW-U）により、データパケットを受信し、前記データパケットで搬送されたトンネル・エンドポイント識別子（TEID）に従って、対応するベアラのコンテキスト情報を照合するステップと、
前記SGW-Uが、照合によって、前記SGW-Uは前記ベアラの前記コンテキスト情報を含まないと判定した場合に、トリガメッセージを制御プレーン用サービングゲートウェイ（SGW-C）に送信するステップであって、前記トリガメッセージが前記TEIDを搬送し、前記トリガメッセージが、前記TEIDに従って前記ベアラの前記コンテキスト情報を取得するために前記SGW-Cによって使用される、ステップと、
前記SGW-Cから再確立ベアラ・コンテキスト・メッセージを受信するステップであって、前記再確立ベアラ・コンテキスト・メッセージが、前記ベアラの前記コンテキスト情報を搬送する、ステップと、
前記ベアラの前記コンテキスト情報に従って前記データパケットを送信するステップと
を含む、データパケット送信方法。
【請求項２】
前記SGW-Cから変更ベアラ要求メッセージを受信するステップであって、前記変更ベアラ要求メッセージが、ベアラ識別子を搬送する、ステップと、
前記SGW-Uが前記ベアラ識別子に対応する前記ベアラの前記コンテキスト情報を含まない場合に、変更ベアラ応答メッセージを前記SGW-Cに送信するステップであって、前記変更ベアラ応答メッセージが、前記ベアラ識別子と、前記SGW-Uが前記コンテキスト情報を含まないことを示すために使用される指示情報とを搬送し、前記変更ベアラ応答メッセージが、前記ベアラ識別子に従って前記ベアラの前記コンテキスト情報を取得するために前記SGW-Cによって使用される、ステップと、
前記SGW-Cから前記再確立ベアラ・コンテキスト・メッセージを受信するステップであって、前記再確立ベアラ・コンテキスト・メッセージが、前記ベアラの前記コンテキスト情報を搬送する、ステップと
をさらに含む、請求項1に記載の方法。
【請求項３】
制御プレーン用サービングゲートウェイ（SGW-C）により、ユーザプレーン用サービングゲートウェイ（SGW-U）からトリガメッセージを受信するステップであって、前記トリガメッセージが、トンネル・エンドポイント識別子（TEID）を搬送し、前記SGW-Uが、前記TEIDを搬送するデータパケットを受信し、照合によって、前記SGW-Uは前記TEIDに対応するベアラのコンテキスト情報を含まないと判定した後に、前記トリガメッセージが送信される、ステップと、
前記TEIDに従って前記ベアラの前記コンテキスト情報を取得するステップと、
再確立ベアラ・コンテキスト・メッセージを前記SGW-Uに送信するステップであって、前記再確立ベアラ・コンテキスト・メッセージが前記コンテキスト情報を搬送し、前記再確立ベアラ・コンテキスト・メッセージが、前記コンテキスト情報に従って前記データパケットを送信するために前記SGW-Uによって使用される、ステップと
を含む、データパケット送信方法。
【請求項４】
前記TEIDに従って前記ベアラの前記コンテキスト情報を取得する前記ステップが、
前記トリガメッセージが受信されたときに計時を開始し、計時時間が予め設定された時間に達する前に、モビリティ管理エンティティ（MME）から変更ベアラ要求メッセージが受信され、かつ前記変更ベアラ要求メッセージが、基地局と前記SGW-Uとの間の第1のトンネルの、基地局側のTEIDを搬送し、前記基地局のアドレスを搬送する場合に、前記基地局側の前記TEIDおよび前記基地局の前記アドレスを、前記SGW-Cに格納されている、前記TEIDに対応する前記ベアラの前記コンテキスト情報に格納するステップと、
前記TEIDに従って、格納されているコンテキスト情報から前記ベアラの前記コンテキスト情報を取得するステップと
を含む、請求項3に記載の方法。
【請求項５】
前記TEIDに従って前記ベアラの前記コンテキスト情報を取得する前記ステップが、
前記計時時間が前記予め設定された時間に達したときに前記MMEから前記変更ベアラ要求メッセージが受信されていない場合に、前記TEIDに従って、前記格納されているコンテキスト情報から前記ベアラの前記コンテキスト情報を取得するステップ
をさらに含む、請求項4に記載の方法。
【請求項６】
データパケット送信装置であって、
データパケットを受信し、前記データパケットで搬送されたトンネル・エンドポイント識別子（TEID）に従って、対応するベアラのコンテキスト情報を照合するように構成される受信ユニットと、
前記装置が、照合によって、前記装置は前記ベアラの前記コンテキスト情報を含まないと判定した場合に、トリガメッセージを制御プレーン用サービングゲートウェイ（SGW-C）に送信するように構成される送信ユニットであって、前記トリガメッセージが前記TEIDを搬送し、前記トリガメッセージが、前記TEIDに従って前記ベアラの前記コンテキスト情報を取得するために前記SGW-Cによって使用される、送信ユニットと
を含み、
前記受信ユニットが、前記SGW-Cから再確立ベアラ・コンテキスト・メッセージを受信するようにさらに構成され、前記再確立ベアラ・コンテキスト・メッセージが、前記ベアラの前記コンテキスト情報を搬送し、
前記送信ユニットが、前記ベアラの前記コンテキスト情報に従って前記データパケットを送信するようにさらに構成される、装置。
【請求項７】
前記受信ユニットが、前記SGW-Cから変更ベアラ要求メッセージを受信するようにさらに構成され、前記変更ベアラ要求メッセージが、ベアラ識別子を搬送し、
前記送信ユニットが、前記装置が前記ベアラ識別子に対応する前記ベアラの前記コンテキスト情報を含まない場合に、変更ベアラ応答メッセージを前記SGW-Cに送信するようにさらに構成され、前記変更ベアラ応答メッセージが、前記ベアラ識別子と、前記装置が前記コンテキスト情報を含まないことを示すために使用される指示情報とを搬送し、前記変更ベアラ応答メッセージが、前記ベアラ識別子に従って前記ベアラの前記コンテキスト情報を取得するために前記SGW-Cによって使用され、
前記受信ユニットが、前記SGW-Cから前記再確立ベアラ・コンテキスト・メッセージを受信するようにさらに構成され、前記再確立ベアラ・コンテキスト・メッセージが、前記ベアラの前記コンテキスト情報を搬送する、請求項6に記載の装置。
【請求項８】
データパケット送信装置であって、
ユーザプレーン用サービングゲートウェイ（SGW-U）からトリガメッセージを受信するように構成される受信ユニットであって、前記トリガメッセージが、トンネル・エンドポイント識別子（TEID）を搬送し、前記SGW-Uが、前記TEIDを搬送するデータパケットを受信し、照合によって、前記SGW-Uは前記TEIDに対応するベアラのコンテキスト情報を含まないと判定した後に、前記トリガメッセージが送信される、受信ユニットと、
前記TEIDに従って前記ベアラの前記コンテキスト情報を取得するように構成される処理ユニットと、
再確立ベアラ・コンテキスト・メッセージを前記SGW-Uに送信するように構成される送信ユニットであって、前記再確立ベアラ・コンテキスト・メッセージが前記コンテキスト情報を搬送し、前記再確立ベアラ・コンテキスト・メッセージが、前記コンテキスト情報に従って前記データパケットを送信するために前記SGW-Uによって使用される、送信ユニットと
を含む、装置。
【請求項９】
前記処理ユニットが、前記トリガメッセージが受信されたときに計時を開始し、計時時間が予め設定された時間に達する前に、モビリティ管理エンティティ（MME）から変更ベアラ要求メッセージが受信され、かつ前記変更ベアラ要求メッセージが、基地局と前記SGW-Uとの間の第1のトンネルの、基地局側のTEIDを搬送し、前記基地局のアドレスを搬送する場合に、前記基地局側の前記TEIDおよび前記基地局の前記アドレスを、前記装置に格納されている、前記TEIDに対応する前記ベアラの前記コンテキスト情報に格納し、前記TEIDに従って、格納されているコンテキスト情報から前記ベアラの前記コンテキスト情報を取得するように構成される、請求項8に記載の装置。
【請求項１０】
前記処理ユニットが、前記計時時間が前記予め設定された時間に達したときに前記MMEから前記変更ベアラ要求メッセージが受信されていない場合に、前記TEIDに従って、前記格納されているコンテキスト情報から前記ベアラの前記コンテキスト情報を取得するようにさらに構成される、請求項9に記載の装置。
【発明の詳細な説明】
【技術分野】
【０００１】
本発明は、通信分野、詳細には、データパケット送信方法および装置に関する。
【背景技術】
【０００２】
ネットワークアーキテクチャは進化しているので、分散型ゲートウェイ（Distributed Gateway、DGW）アーキテクチャは、ネットワーク機能の制御／ユーザ（Control／User、C／U）分離の考えによる既存のEPS（Evolved Packet System、進化型パケットシステム）ネットワークアーキテクチャに基づいて提案された拡張ネットワークアーキテクチャである。C／U分離は、ゲートウェイの制御プレーン機能がゲートウェイのユーザプレーン機能から切り離されることを意味する。サービングゲートウェイ（Serving Gateway、SGW）は、2つの独立した論理ネットワーク要素、すなわち、制御プレーン用サービングゲートウェイ（Serving Gateway for Control Plane、SGW-C）およびユーザプレーン用サービングゲートウェイ（Serving Gateway for User Plane、SGW-U）に論理的に分割される。SGW-Cは、隣接ネットワーク要素のシグナリング制御アンカーであり、隣接ネットワーク要素のシグナリングを処理する役割を担う。SGW-Uは、ユーザデータパケットの処理アンカーであり、ユーザデータパケットを受信し、ユーザデータパケットを送信する役割を担う。
【０００３】
現在、SGW-Uが、データパケットを受信し、ここで、データパケットのヘッダが、ベアラの、SGW-U側のトンネル・エンドポイント識別子（Tunnel Endpoint Identifier、TEID）を搬送し、ベアラが、データパケットを送信するために使用されるベアラであるとき、SGW-Uは、TEIDに従って、SGW-Uに格納されているベアラ・コンテキスト情報からベアラのコンテキスト情報を取得し、コンテキスト情報に従ってデータパケットを送信する。
【０００４】
本発明の実装の間、発明者は、従来技術は少なくとも以下の問題を有することを見つけた。
【０００５】
現在、SGW-Uは時々コンテキスト情報を損失し、TEIDに対応するコンテキスト情報の損失のためにコンテキスト情報が取得されないとき、ユーザデータサービスが中断され、ユーザ体験に影響する。
【発明の概要】
【０００６】
ユーザサービスの中断を防止し、ユーザ体験を向上させるために、本発明の実施形態は、データパケット送信方法および装置を提供する。技術的な解決策は以下の通りである。
【課題を解決するための手段】
【０００７】
第1の態様によれば、データパケット送信方法が提供され、この方法は、
ユーザプレーン用サービングゲートウェイSGW-Uにより、データパケットを受信し、データパケットで搬送されたトンネル・エンドポイント識別子TEIDに従って、対応するベアラのコンテキスト情報を照合するステップと、
SGW-Uが、照合によって、SGW-UはTEIDに対応するベアラのコンテキスト情報を含まないと判定した場合に、トリガメッセージを制御プレーン用サービングゲートウェイSGW-Cに送信するステップであって、トリガメッセージがTEIDを搬送し、トリガメッセージが、TEIDに従ってベアラのコンテキスト情報を取得するためにSGW-Cによって使用される、ステップと、
SGW-Cによって送信された再確立ベアラ・コンテキスト・メッセージを受信するステップであって、再確立ベアラ・コンテキスト・メッセージが、ベアラのコンテキスト情報を搬送する、ステップと、
ベアラのコンテキスト情報に従ってデータパケットを送信するステップと
を含む。
【０００８】
第1の態様では、照合によって、SGW-UはTEIDに対応するベアラのコンテキスト情報を含まないと判定したとき、SGW-Uは、ベアラのコンテキスト情報を取得することを要求するためにトリガメッセージをSGW-Cに送信し、これにより、SGW-Uは、取得したコンテキスト情報に従ってデータパケットを送信することができる。これは、ユーザサービスの中断を防止し、ユーザ体験を向上させる。
【０００９】
任意選択的に、第1の態様を参照して、第1の態様の第1の可能な実装では、この方法は、
SGW-Cによって送信された変更ベアラ要求メッセージを受信するステップであって、変更ベアラ要求メッセージが、ベアラ識別子を搬送する、ステップと、
SGW-Uがベアラ識別子に対応するベアラのコンテキスト情報を含まない場合に、変更ベアラ応答メッセージをSGW-Cに送信するステップであって、変更ベアラ応答メッセージが、ベアラ識別子と、SGW-Uがコンテキスト情報を含まないことを示すために使用される指示情報とを搬送し、変更ベアラ応答メッセージが、ベアラ識別子に従ってベアラのコンテキスト情報を取得するためにSGW-Cによって使用される、ステップと、
SGW-Cによって送信された再確立ベアラ・コンテキスト・メッセージを受信するステップであって、再確立ベアラ・コンテキスト・メッセージが、ベアラのコンテキスト情報を搬送する、ステップと
をさらに含む。
【００１０】
第1の態様の第1の可能な実装では、サービス要求手順において、SGW-Uが、変更ベアラ要求メッセージで搬送されたベアラ識別子に対応するベアラのコンテキスト情報を含まない場合、SGW-Uは、SGW-U内のコンテキスト情報を回復することを要求するためにメッセージをSGW-Cに送信する。これは、データパケットが受信されたときにコンテキスト情報に従ってデータパケットが送信されることが可能であることを保証し、ユーザサービスの中断を防止する。
【００１１】
第2の態様によれば、データパケット送信方法が提供され、この方法は、
制御プレーン用サービングゲートウェイSGW-Cにより、ユーザプレーン用サービングゲートウェイSGW-Uによって送信されたトリガメッセージを受信するステップであって、トリガメッセージが、トンネル・エンドポイント識別子TEIDを搬送し、SGW-Uが、TEIDを搬送するデータパケットを受信し、照合によって、SGW-UはTEIDに対応するベアラのコンテキスト情報を含まないと判定した後に、トリガメッセージが送信される、ステップと、
TEIDに従ってベアラのコンテキスト情報を取得するステップと、
再確立ベアラ・コンテキスト・メッセージをSGW-Uに送信するステップであって、再確立ベアラ・コンテキスト・メッセージがコンテキスト情報を搬送し、再確立ベアラ・コンテキスト・メッセージが、コンテキスト情報に従ってデータパケットを送信するためにSGW-Uによって使用される、ステップと
を含む。
【００１２】
第2の態様では、SGW-Uが、照合によって、SGW-UはTEIDに対応するベアラのコンテキスト情報を含まないと判定したとき、SGW-Cが、ベアラのコンテキスト情報をSGW-Uに送信し、これにより、SGW-Uは、コンテキスト情報に従ってデータパケットを送信することができる。これは、ユーザサービスの中断を防止し、ユーザ体験を向上させる。
【００１３】
第2の態様を参照して、第2の態様の第1の可能な実装では、TEIDに従ってベアラのコンテキスト情報を取得するステップは、
トリガメッセージが受信されたときに計時を開始し、計時時間が予め設定された時間に達する前に、モビリティ管理エンティティMMEによって送信された変更ベアラ要求メッセージが受信され、かつ変更ベアラ要求メッセージが、基地局とSGW-Uとの間の第1のトンネルの、基地局側のTEIDを搬送し、基地局のアドレスを搬送する場合に、基地局側のTEIDおよび基地局のアドレスを、SGW-Cに格納されている、TEIDに対応するベアラのコンテキスト情報に更新するステップと、
TEIDに従って、格納されているコンテキスト情報からベアラの更新されたコンテキスト情報を取得するステップと
を含む。
【００１４】
第2の態様の第1の可能な実装では、サービス要求手順において、SGW-Uが変更ベアラ要求メッセージで搬送されたベアラ識別子に対応するベアラのコンテキスト情報を含まない場合、SGW-Cは、コンテキスト情報をSGW-Uに送信する。これは、SGW-Uが、データパケットを受信したときにコンテキスト情報に従ってデータパケットを送信することができることを保証し、ユーザサービスの中断を防止する。
【００１５】
第2の態様の第1の可能な実装を参照して、第2の態様の第2の可能な実装では、TEIDに従ってベアラのコンテキスト情報を取得するステップは、
計時時間が予め設定された時間に達したときにMMEによって送信される変更ベアラ要求メッセージが受信されていない場合に、TEIDに従って、格納されているコンテキスト情報からベアラのコンテキスト情報を取得するステップ
をさらに含む。
【００１６】
第3の態様によれば、データパケット送信装置が提供され、この装置は、
データパケットを受信し、データパケットで搬送されたトンネル・エンドポイント識別子TEIDに従って、対応するベアラのコンテキスト情報を照合するように構成される受信ユニットと、
この装置が、照合によって、この装置はベアラのコンテキスト情報を含まないと判定した場合に、トリガメッセージを制御プレーン用サービングゲートウェイSGW-Cに送信するように構成される送信ユニットであって、トリガメッセージがTEIDを搬送し、トリガメッセージが、TEIDに従ってベアラのコンテキスト情報を取得するためにSGW-Cによって使用される、送信ユニットと
を含み、
受信ユニットは、SGW-Cによって送信された再確立ベアラ・コンテキスト・メッセージを受信するようにさらに構成され、再確立ベアラ・コンテキスト・メッセージが、ベアラのコンテキスト情報を搬送し、
送信ユニットは、ベアラのコンテキスト情報に従ってデータパケットを送信するようにさらに構成される。
【００１７】
第3の態様では、照合によって、SGW-UはTEIDに対応するベアラのコンテキスト情報を含まないと判定したとき、SGW-Uは、ベアラのコンテキスト情報を取得することを要求するためにトリガメッセージをSGW-Cに送信し、これにより、SGW-Uは、取得したコンテキスト情報に従ってデータパケットを送信することができる。これは、ユーザサービスの中断を防止し、ユーザ体験を向上させる。
【００１８】
第3の態様を参照して、第3の態様の第1の可能な実装では、
受信ユニットは、SGW-Cによって送信された変更ベアラ要求メッセージを受信するようにさらに構成され、変更ベアラ要求メッセージが、ベアラ識別子を搬送し、
送信ユニットは、この装置がベアラ識別子に対応するベアラのコンテキスト情報を含まない場合に、変更ベアラ応答メッセージをSGW-Cに送信するようにさらに構成され、変更ベアラ応答メッセージが、ベアラ識別子と、この装置がコンテキスト情報を含まないことを示すために使用される指示情報とを搬送し、変更ベアラ応答メッセージが、ベアラ識別子に従ってベアラのコンテキスト情報を取得するためにSGW-Cによって使用され、
受信ユニットは、SGW-Cによって送信された再確立ベアラ・コンテキスト・メッセージを受信するようにさらに構成され、再確立ベアラ・コンテキスト・メッセージが、ベアラのコンテキスト情報を搬送する。
【００１９】
第3の態様の第1の可能な実装では、サービス要求手順において、SGW-Uが、変更ベアラ要求メッセージで搬送されたベアラ識別子に対応するベアラのコンテキスト情報を含まない場合、SGW-Uは、SGW-U内のコンテキスト情報を回復することを要求するためにメッセージをSGW-Cに送信する。これは、データパケットが受信されたときにコンテキスト情報に従ってデータパケットが送信されることが可能であることを保証し、ユーザサービスの中断を防止する。
【００２０】
第4の態様によれば、データパケット送信装置が提供され、この装置は、
ユーザプレーン用サービングゲートウェイSGW-Uによって送信されたトリガメッセージを受信するように構成される受信ユニットであって、トリガメッセージが、トンネル・エンドポイント識別子TEIDを搬送し、SGW-Uが、TEIDを搬送するデータパケットを受信し、照合によって、SGW-UはTEIDに対応するベアラのコンテキスト情報を含まないと判定した後に、トリガメッセージが送信される、受信ユニットと、
TEIDに従ってベアラのコンテキスト情報を取得するように構成される処理ユニットと、
再確立ベアラ・コンテキスト・メッセージをSGW-Uに送信するように構成される送信ユニットであって、再確立ベアラ・コンテキスト・メッセージがコンテキスト情報を搬送、再確立ベアラ・コンテキスト・メッセージが、コンテキスト情報に従ってデータパケットを送信するためにSGW-Uによって使用される、送信ユニットと
を含む。
【００２１】
第4の態様では、SGW-Uが、照合によって、SGW-UはTEIDに対応するベアラのコンテキスト情報を含まないと判定したとき、SGW-Cが、ベアラのコンテキスト情報をSGW-Uに送信し、これにより、SGW-Uは、コンテキスト情報に従ってデータパケットを送信することができる。これは、ユーザサービスの中断を防止し、ユーザ体験を向上させる。
【００２２】
第4の態様を参照して、第4の態様の第1の可能な実装では、
処理ユニットは、トリガメッセージが受信されたときに計時を開始し、計時時間が予め設定された時間に達する前に、モビリティ管理エンティティMMEによって送信される変更ベアラ要求メッセージが受信され、かつ変更ベアラ要求メッセージが、基地局とSGW-Uとの間の第1のトンネルの、基地局側のTEIDを搬送し、基地局のアドレスを搬送する場合、基地局側のTEIDおよび基地局のアドレスを、この装置に格納されている、TEIDに対応するベアラのコンテキスト情報に更新し、TEIDに従って、格納されているコンテキスト情報からベアラの更新されたコンテキスト情報を取得するように構成される。
【００２３】
第4の態様の第1の可能な実装では、サービス要求手順において、SGW-Uが変更ベアラ要求メッセージで搬送されたベアラ識別子に対応するベアラのコンテキスト情報を含まない場合、SGW-Cは、コンテキスト情報をSGW-Uに送信する。これは、SGW-Uが、データパケットを受信したときにコンテキスト情報に従ってデータパケットを送信することが可能であることを保証し、ユーザサービスの中断を防止する。
【００２４】
第4の態様の第1の可能な実装を参照して、第4の態様の第2の可能な実装では、
処理ユニットは、計時時間が予め設定された時間に達したときにMMEによって送信される変更ベアラ要求メッセージが受信されていない場合、TEIDに従って、格納されているコンテキスト情報からベアラのコンテキスト情報を取得するように構成される。
【００２５】
本発明の実施形態の技術的解決策をより明確に説明するために、以下は、実施形態を説明するために必要な添付図面を簡単に説明する。明らかに、以下の説明における添付図面は、本発明のほんのいくつかの実施形態を示すが、当業者は、創造的な努力なしにこれらの添付図面から依然として他の図面を導き出し得る。
【図面の簡単な説明】
【００２６】
【図１】本発明の一実施形態によるDGW論理ネットワークアーキテクチャの図である。
【図２】本発明の一実施形態によるSGW-Uの構成ブロック図である。
【図３】本発明の一実施形態によるSGW-Cの構成ブロック図である。
【図４−１】本発明の一実施形態によるデータパケット送信方法のフローチャートである。
【図４−２】本発明の一実施形態による別のデータパケット送信方法のフローチャートである。
【図４−３】本発明の一実施形態によるサービス要求手順のフローチャートである。
【図４−４】本発明の一実施形態による別のサービス要求手順のフローチャートである。
【図５】本発明の一実施形態によるデータパケット送信装置の概略構成図である。
【図６】本発明の一実施形態によるデータパケット送信装置の概略構成図である。
【発明を実施するための形態】
【００２７】
本発明の目的、技術的解決策、および利点をより明確にするために、以下は、添付図面を参照して本発明の実施形態をさらに詳細に説明する。
【００２８】
本発明は、DGWネットワークアーキテクチャに適用される。図1に示すDGWネットワークアーキテクチャを参照すると、DGWネットワークアーキテクチャ内のSGWは、2つの独立した論理ネットワーク要素、すなわちSGW-CおよびSGW-Uに分割される。SGW-Cは、隣接ネットワーク要素のシグナリング制御アンカーであり、隣接ネットワーク要素のシグナリングを処理する役割を担う。SGW-Cは集中化された方式で配置されてもよく、比較的高い位置に配置されてもよい。例えば、SGW-Cは領域の中心に配置される。SGW-Uは、ユーザデータパケットの処理アンカーであり、ユーザデータパケットを受信し、ユーザデータパケットを送信する役割を担う。SGW-Uは、分散された方式で配置されてもよく、ユーザにより近い。例えば、SGW-Uは基地局の近くに配置される。
【００２９】
データパケットを送信するためのベアラがSGW-Uにおいて確立される。ベアラは、基地局、SGW-U、およびユーザプレーン用パケット・データ・ゲートウェイ（Packet Data Network GateWay、PGW-U）の間に、基地局とSGW-Uとの間の第1のトンネル、およびSGW-UとPGW-Uとの間の第2のトンネルを含む。第1のトンネルに関して、2つのTEIDがそれぞれ第1のトンネルの2つの端を識別するために使用される。基地局側では、一方のTEIDが、第1のトンネルの、基地局側の一端を識別するために使用される。SGW-U側では、他方のTEIDが、第1のトンネルの、SGW-U側の他端を識別するために使用される。第2のトンネルに関して、2つのTEIDがそれぞれ第2のトンネルの2つの端を識別するために使用される。SGW-U側では、一方のTEIDが、第2のトンネルの、SGW-U側の一端を識別するために使用される。PGW-U側では、他方のTEIDが、トンネルの、PGW-U側の他端を識別するために使用される。
【００３０】
SGW-Uは、各ベアラのコンテキスト情報を含み、SGW-Cは、各SGW-Uの各ベアラのコンテキスト情報を含み、SGW-Uの各ベアラのコンテキスト情報はSGW-Cによって構成される。SGW-Uにおける各ベアラに関して、ベアラのコンテキスト情報は、ベアラを識別するために使用されてもよい。コンテキスト情報は、ベアラのベアラ識別子、第1のトンネルの、基地局側のTEID、基地局のアドレス、第1のトンネルの、SGW-U側のTEID、SGW-Uのアドレス、第2のトンネルの、SGW-U側のTEID、第2のトンネルの、PGW-U側のTEID、およびPGW-Uのアドレスを含んでもよい。
【００３１】
SGW-Uは、基地局によって送信されるアップリンク・データ・パケットを受信することができ、基地局によって送信されるアップリンク・データ・パケットのヘッダは、第1のトンネルの、SGW-U側のTEIDなどの情報を含む。アップリンク・データ・パケットを受信した後、SGW-Uは、アップリンク・データ・パケットで搬送されたTEIDに従って、TEIDに対応するベアラのコンテキスト情報を取得し、コンテキスト情報に含まれる第2のトンネルの、PGW-U側のTEIDおよびPGW-Uのアドレスに従って、アップリンク・データ・パケットをPGW-Uに送信する。
【００３２】
SGW-Uは、PGW-Uによって送信されるダウンリンク・データ・パケットを受信することができ、PGW-Uによって送信されるダウンリンク・データ・パケットのヘッダは、第2のトンネルの、SGW-U側のTEIDなどの情報を含む。ダウンリンク・データ・パケットを受信した後、SGW-Uは、ダウンリンク・データ・パケットで搬送されたTEIDに従って、TEIDに対応するベアラのコンテキスト情報を取得し、コンテキスト情報に含まれる第1のトンネルの、基地局側のTEIDおよび基地局のアドレスに従って、ダウンリンク・データ・パケットを基地局に送信する。
【００３３】
SGW-Uは時々コンテキスト情報を損失し、従って、基地局によって送信されたアップリンク・データ・パケットまたはPGW-Uによって送信されたダウンリンク・データ・パケットを受信したとき、SGW-Uは、アップリンク・データ・パケットで搬送されたSGW-U側のTEIDまたはダウンリンク・データ・パケットで搬送されたSGW-U側のTEIDに従って、損失したコンテキスト情報を取得することができないことが留意されるべきである。この場合、SGW-Uは、SGW-Cを使用してSGW-U内の損失したコンテキスト情報を回復し、回復したコンテキスト情報を使用してアップリンク・データ・パケットまたはダウンリンク・データ・パケットを送信することができる。SGW-UがSGW-Cを使用してコンテキスト情報を回復し、アップリンク・データ・パケットまたはダウンリンク・データ・パケットを送信する具体的なプロセスは、続く実施形態で説明される。は詳細はここで説明されない。
【００３４】
図2を参照すると、図2は、本発明の一実施形態によるSGW-U 200の構成ブロック図である。SGW-U 200は、異なる構成または異なる性能のために大きく変わることがあり、1つ以上の受信機201と、送信機202と、プロセッサ203と、アプリケーションプログラム204またはデータ205を格納するための1つ以上の記憶媒体206（例えば、1つ以上の大容量記憶装置）とを含むことがある。記憶媒体206は、過渡記憶装置または永続記憶デバイスであってもよい。記憶媒体206に格納されるプログラムは、1つ以上のモジュール（図に示されていない）を含んでもよく、各モジュールは、一連の命令動作を含んでもよい。さらに、プロセッサ203は、記憶媒体206と通信し、記憶媒体206内の一連の命令動作をSGW-U 200で実行するように構成されてもよい。
【００３５】
SGW-U 200は、1つ以上の電源207、1つ以上の有線もしくは無線ネットワークインタフェース208、1つ以上の入力／出力インタフェース209、および／またはWindows ServerTM、Mac OS XTM、UnixTM、LinuxTM、もしくはFreeBSDTMなどの1つ以上のオペレーティングシステム210をさらに含んでもよい。
【００３６】
本発明において、SGW-U 200の受信機201および送信機202は、以下の機能を有する。
【００３７】
受信機201は、データパケットを受信し、データパケットで搬送されたTEIDに従って、対応するベアラのコンテキスト情報を照合するように構成される。
【００３８】
送信機202は、SGW-U 200が、照合によって、SGW-U 200はベアラのコンテキスト情報を含まないと判定した場合に、トリガメッセージをSGW-Cに送信するように構成される。トリガメッセージはTEIDを搬送し、トリガメッセージは、TEIDに従ってベアラのコンテキスト情報を取得するためにSGW-Cによって使用される。
【００３９】
受信機201は、SGW-Cによって送信される再確立ベアラ・コンテキスト・メッセージを受信するようにさらに構成される。再確立ベアラ・コンテキスト・メッセージは、ベアラのコンテキスト情報を搬送する。
【００４０】
送信機202は、ベアラのコンテキスト情報に従ってデータパケットを送信するようにさらに構成される。
【００４１】
任意選択的に、受信機は、SGW-Cによって送信される変更ベアラ要求メッセージを受信するようにさらに構成される。変更ベアラ要求メッセージは、ベアラ識別子を搬送する。
【００４２】
送信機は、SGW-U 200がベアラ識別子に対応するベアラのコンテキスト情報を含まない場合に、変更ベアラ応答メッセージをSGW-Cに送信するようにさらに構成される。変更ベアラ応答メッセージは、ベアラ識別子と、SGW-U 200がコンテキスト情報を含まないことを示すために使用される指示情報とを搬送し、変更ベアラ応答メッセージは、ベアラ識別子に従ってベアラのコンテキスト情報を取得するためにSGW-Cによって使用される。
【００４３】
受信機は、SGW-Cによって送信される再確立ベアラ・コンテキスト・メッセージを受信するようにさらに構成される。再確立ベアラ・コンテキスト・メッセージは、ベアラのコンテキスト情報を搬送する。
【００４４】
本発明のこの実施形態では、照合によって、SGW-UはTEIDに対応するベアラのコンテキスト情報を含まないと判定したとき、SGW-Uは、ベアラのコンテキスト情報を取得することを要求するためにトリガメッセージをSGW-Cに送信し、これにより、SGW-Uは、取得したコンテキスト情報に従ってデータパケットを送信することができる。これは、ユーザサービスの中断を防止し、ユーザ体験を向上させる。
【００４５】
図3を参照すると、図3は、本発明の一実施形態によるSGW-C 300の構成ブロック図である。SGW-C 300は、異なる構成または異なる性能により大きく変わることがあり、1つ以上の受信機301と、プロセッサ302と、送信機303と、アプリケーションプログラム304またはデータ305を格納するための1つ以上の記憶媒体306（例えば、1つ以上の大容量記憶デバイス）とを含むことがある。記憶媒体306は、過渡記憶装置または永続記憶装置であってもよい。記憶媒体306に格納されるプログラムは、1つ以上のモジュール（図に示されていない）を含んでもよく、各モジュールは、一連の命令動作を含んでもよい。さらに、プロセッサ302は、記憶媒体306と通信し、記憶媒体306内の一連の命令動作をSGW-C 300で実行するように構成されてもよい。
【００４６】
SGW-C 300は、1つ以上の電源307、1つ以上の有線もしくは無線ネットワークインタフェース308、1つ以上の入力／出力インタフェース309、および／またはWindows ServerTM、Mac OS XTM、UnixTM、LinuxTM、もしくはFreeBSDTMなどの1つ以上のオペレーティングシステム210をさらに含んでもよい。
【００４７】
本発明において、SGW-C 300の受信機301、プロセッサ302、および送信機303は、以下の機能を有する。
【００４８】
受信ユニット301は、SGW-Uによって送信されるトリガメッセージを受信するように構成される。トリガメッセージはTEIDを搬送し、SGW-Uが、TEIDを搬送するデータパケットを受信し、SGW-UはTEIDに対応するベアラのコンテキスト情報を含まないと判定した後に、トリガメッセージは送信される。
【００４９】
処理ユニット302は、TEIDに従ってベアラのコンテキスト情報を取得するように構成される。
【００５０】
送信ユニット303は、再確立ベアラ・コンテキスト・メッセージをSGW-Uに送信するように構成される。再確立ベアラ・コンテキスト・メッセージはコンテキスト情報を搬送し、再確立ベアラ・コンテキスト・メッセージは、コンテキスト情報に従ってデータパケットを送信するためにSGW-Uによって使用される。
【００５１】
任意選択的に、プロセッサ302は、トリガメッセージが受信されたときに計時を開始し、計時時間が予め設定された時間に達する前に、MMEによって送信される変更ベアラ要求メッセージが受信され、かつ変更ベアラ要求メッセージが、基地局とSGW-Uとの間の第1のトンネルの、基地局側のTEIDを搬送し、基地局のアドレスを搬送する場合、基地局側のTEIDおよび基地局のアドレスを、SGW-C 300に格納されている、TEIDに対応するベアラのコンテキスト情報に更新し、TEIDに従って、格納されているコンテキスト情報からベアラの更新されたコンテキスト情報を取得するように構成される。
【００５２】
任意選択的に、プロセッサは、計時時間が予め設定された時間に達したときにMMEによって送信される変更ベアラ要求メッセージが受信されていない場合、TEIDに従って、格納されているコンテキスト情報からベアラの更新されたコンテキスト情報を取得するように構成される。
【００５３】
本発明のこの実施形態では、SGW-Uが、照合によって、SGW-UはTEIDに対応するベアラのコンテキスト情報を含まないと判定したとき、SGW-Cが、ベアラのコンテキスト情報をSGW-Uに送信し、それにより、SGW-Uは、コンテキスト情報に従ってデータパケットを送信することができる。これは、ユーザサービスの中断を防止し、ユーザ体験を向上させる。
【００５４】
実施形態4
図４−１を参照すると、本発明の一実施形態は、データパケット送信方法を提供し、本方法は、以下のステップを含む。
【００５５】
ステップ401：SGW-Uが第1のネットワーク要素によって送信されたデータパケットを受信し、データパケットが、トンネルの、SGW-U側のTEIDを搬送し、トンネルが、データパケットを送信するために使用され、TEIDに対応するベアラに配置される。
【００５６】
データパケットは、基地局によって送信されるアップリンク・データ・パケットまたはPGW-Uによって送信されるダウンリンク・データ・パケットであってもよい。アップリンク・データ・パケットに関して、基地局は、基地局とSGW-Uとの間の第1のトンネルでアップリンク・データ・パケットを送信し、アップリンク・データ・パケットのヘッダは、第1のトンネルの、SGW-U側のTEIDを含む。ダウンリンク・データ・パケットに関して、PGW-Uは、PGW-UとSGW-Uとの間の第2のトンネルでダウンリンク・データ・パケットを送信し、ダウンリンク・データ・パケットのヘッダは、第2のトンネルの、SGW-U側のTEIDを含む。
【００５７】
アップリンク・データ・パケットのヘッダまたはダウンリンク・データ・パケットのヘッダは、他の情報、例えばSGW-Uのアドレスをさらに搬送してもよい。
【００５８】
ステップ402：SGW-UがTEIDに対応するベアラのコンテキスト情報をTEIDに従って取得し、SGW-Uがベアラのコンテキスト情報を取得できない場合はステップ403を実行する。
【００５９】
具体的には、SGW-Uは、TEIDのコンテキスト情報が含まれているかどうかを判定するために、TEIDに従って、SGW-Uに格納されている様々なベアラのコンテキスト情報を検索する。コンテキスト情報が含まれている場合、SGW-Uはコンテキスト情報を取得する。コンテキスト情報は、TEIDに対応するベアラのコンテキスト情報である。TEIDのコンテキスト情報が含まれていない場合、SGW-Uはベアラのコンテキスト情報を取得することができない。
【００６０】
ベアラのコンテキスト情報が取得された場合、SGW-Uは、取得したコンテキスト情報に従ってデータパケットを送信する。具体的には、データパケットがアップリンク・データ・パケットである場合、SGW-Uは、コンテキスト情報に含まれている第2のトンネルの、PGW-U側のTEIDおよびPGW-Uのアドレスに従ってアップリンク・データ・パケットをPGW-Uに送信する。データパケットがダウンリンク・データ・パケットである場合、SGW-Uは、コンテキスト情報に含まれている第1のトンネルの、基地局側のTEIDおよび基地局のアドレスに従ってダウンリンク・データ・パケットを基地局に送信する。
【００６１】
ステップ403：SGW-UがトリガメッセージをSGW-Cに送信し、トリガメッセージが、SGW-U側のTEIDを搬送する。
【００６２】
SGW-Uがベアラのコンテキスト情報を取得できない場合、SGW-Uは、ベアラのコンテキスト情報を損失し得る。SGW-Uの様々なベアラのコンテキスト情報はSGW-Cによって構成されるので、SGW-Cは、ベアラの損失したコンテキスト情報を含む。SGW-Uは、ベアラの損失したコンテキスト情報を回復することを要求するためにトリガメッセージをSGW-Cに送信する。
【００６３】
SGW-Uは、オブジェクト指向方式で実現されてもよく、SGW-Uは、入力インタフェースモジュール、接続モジュール、制御モジュール、および出力インタフェースモジュールなどのオブジェクト指向モジュールを含む。SGW-Uは、これらのオブジェクト指向モジュールを使用してステップ401から403を実行し得る。具体的な実装は以下の通りである。
【００６４】
図４−２を参照すると、入力インタフェースモジュールは、データパケットを受信し、まず、データパケットの最も外側のIPヘッダを最初に除去してGTP-Uデータパケットを取得し、IPヘッダに含まれるSGW-Uのアドレスに従って、対応する接続モジュールを照合し、次にGTP-Uデータパケットを接続モジュールに出力する。接続モジュールは、GTP-Uデータパケットの最も外側のGTP-Uヘッダを除去してデータ部を取得し、GTP-Uヘッダに含まれるSGW-U側のTEIDに従って、SGW-Uに格納されている様々なベアラのコンテキスト情報を検索して、TEIDのコンテキスト情報が含まれているかどうかを判定する。TEIDのコンテキスト情報が含まれていない場合、SGW-Uは、ベアラのコンテキスト情報を取得することができない。接続モジュールは、GTPヘッダカプセル化動作を実行して、除去されたGTP-Uヘッダをデータ部に再追加して、GTP-Uデータパケットを生成するか、または元のGTP-Uヘッダ内のTEID情報を含むエラー指示メッセージを作成し、GTP-Uデータパケットまたはエラー指示メッセージを制御モジュールに送信する。制御モジュールは、GTP-Uデータパケットまたはエラー指示メッセージを受信し、GTP-Uデータパケットまたはエラー指示メッセージをトリガ・メッセージ・データ・パケットにカプセル化し、トリガ・メッセージ・データ・パケットを出力インタフェースモジュールに送信する。出力インタフェースモジュールは、トリガ・メッセージ・データ・パケットを受信し、SGW-UのアドレスおよびSGW-Cのアドレスを含むIPヘッダをトリガ・メッセージ・データ・パケットに追加してトリガメッセージを取得し、トリガメッセージをSGW-Cに送信する。任意選択的に、以下の表1を参照すると、トリガメッセージの構造が表1に示されている。
【００６５】
【表１】
2019506051.tif 000003
【００６６】
ステップ404：SGW-Cが、トリガメッセージを受信し、トリガメッセージで搬送されたTEIDに従ってベアラのコンテキスト情報を取得する。
【００６７】
具体的には、SGW-Cは、トリガメッセージを受信し、トリガメッセージで搬送されたTEIDに従って、SGW-Cに格納されているコンテキスト情報を検索し、TEIDのコンテキスト情報が含まれていると判定し、発見したコンテキスト情報を取得し、コンテキスト情報は、ベアラのコンテキスト情報である。
【００６８】
任意選択的に、ベアラのコンテキスト情報は、ベアラのベアラ識別子、第1のトンネルの、基地局側のTEID、基地局のアドレス、第1のトンネルの、SGW-U側のTEID、SGW-Uのアドレス、第2のトンネルの、SGW-U側のTEID、第2のトンネルの、PGW-U側のTEID、およびPGW-Uのアドレスを含んでもよい。第1のトンネルおよび第2のトンネルは、ベアラ内のトンネルである。
【００６９】
ステップ405：SGW-Cが、再確立ベアラ・コンテキスト・メッセージをSGW-Uに送信し、再確立ベアラ・コンテキスト・メッセージが、ベアラのコンテキスト情報を搬送する。
【００７０】
任意選択的に、表2を参照すると、再確立ベアラ・コンテキスト・メッセージの構造が表2に示されている。ローカルS1インタフェースのTEIDおよびアドレスは、第1のトンネルの、基地局側のTEIDおよび基地局のアドレスであってもよい。リモートS1インタフェースのTEIDおよびアドレスは、第1のトンネルの、SGW-U側のTEIDおよびSGW-Uのアドレスであってもよい。ローカルS5インタフェースのTEIDおよびアドレスは、第2のトンネルの、SGW-U側のTEIDおよびSGW-Uのアドレスであってもよい。リモートS5インタフェースのTEIDおよびアドレスは、第2のトンネルの、PGW-U側のTEIDおよびPGW-Uのアドレスであってもよい。
【００７１】
【表２】
2019506051.tif 000004
【００７２】
UEはアイドル状態にあり得ることが留意されるべきである。したがって、UEがアイドル状態にあるとき、基地局とSGW-Uとの間の第1のトンネルは解放され、SGW-Cに格納されているベアラのコンテキスト情報は不完全である。ベアラのコンテキスト情報は、第1のトンネルの、基地局側のTEIDを含まず、基地局のアドレスを含まないが、第2のトンネルの、SGW-U側のTEID、SGW-Uのアドレス、第2のトンネルの、PGW-U側のTEID、およびPGW-Uのアドレスを含む。
【００７３】
UEがアイドル状態から接続状態に切り替わるとき、UEは、サービス要求（Service Request）手順を使用して第1のトンネルを復元し、SGW-Cにおいてベアラのコンテキスト情報が回復される。第1のトンネルを復元するプロセスの間、SGW-Uは、UEのアップリンク・データ・パケットを受信することができる。SGW-Uがベアラのコンテキスト情報を含まない場合、SGW-Uは、トリガメッセージをSGW-Cに送信する。SGW-Cが、トリガメッセージを受信したときにすぐにベアラのコンテキスト情報を取得する場合、SGW-Cでのベアラのコンテキスト情報の回復が完了していないことがある。結果として、取得されたベアラのコンテキスト情報は不完全である。したがって、SGW-Cは、トリガメッセージを受信するとき、まず、計時を開始する。計時時間が予め設定された時間に達する前にベアラのコンテキスト情報の回復が完了した場合、SGW-Cは、ベアラの回復されたコンテキスト情報を取得する。計時時間が予め設定された時間に達したときにベアラのコンテキスト情報が回復されていない場合、SGW-Cは、SGW-Cに格納されているベアラのコンテキスト情報を取得する。
【００７４】
図４−３を参照すると、SGW-Uがサービス要求手順においてアップリンク・データ・パケットを受信する場合、具体的な実装は以下の通りである。第1ステップでは、UEは、サービス要求メッセージを基地局に送信する。第2ステップでは、サービス要求メッセージを受信した後、基地局は、サービス要求メッセージをMMEに転送する。第3ステップでは、許可および認証を実行した後、MMEは、S1-AP初期コンテキスト設定要求メッセージを基地局に送信し、この要求メッセージは、第1のトンネルの、SGW-U側のTEIDおよびSGW-Uのアドレスを搬送する。第4ステップでは、基地局は、S1-AP初期コンテキスト設定要求メッセージを受信し、基地局とUEとの間のエアインタフェース接続を確立し、エアインタフェース接続の確立を完了した後にS1-AP初期コンテキスト設定完了メッセージをMMEに送信し、S1-AP初期コンテキスト設定完了メッセージは、第1のトンネルの、基地局側のTEIDを搬送し、基地局のアドレスを搬送する。第5ステップでは、MMEは、S1-AP初期コンテキスト設定完了メッセージを受信し、変更ベアラ要求メッセージをSGW-Cに送信し、変更ベアラ要求メッセージは、第1のトンネルの、基地局側のTEIDを搬送し、基地局のアドレスを搬送する。第6ステップでは、SGW-Cは、変更ベアラ要求メッセージを受信し、第1のトンネルの、基地局側のTEIDおよび基地局のアドレスを、TEIDに対応するベアラのコンテキスト情報に格納する。このようにして、ベアラのコンテキスト情報が回復される。
【００７５】
UEと基地局との間のエアインタフェース接続の確立を完了した後、UEは、アップリンク・データ・パケットを基地局に送信してもよい。基地局は、アップリンク・データ・パケットを受信し、アップリンク・データ・パケットをSGW-Uに送信する。SGW-Uは、アップリンク・データ・パケットを受信し、SGW-Uが、アップリンク・データ・パケットで搬送されたTEIDに従って、TEIDに対応するベアラのコンテキスト情報を取得できない場合、SGW-Uは、トリガメッセージをSGW-Cに送信する。
【００７６】
MMEによって送信された変更ベアラ要求メッセージを受信する前に、SGW-Cは、SGW-Uによって送信されたトリガメッセージを受信し得る。この場合にSGW-Cがベアラのコンテキスト情報をすぐに取得すると、SGW-Cは、不完全なコンテキスト情報を取得し得る。したがって、SGW-Cは、トリガメッセージを受信したときにタイマを開始して、MMEによって送信される変更ベアラ要求メッセージの到着を待ってもよく、変更ベアラ要求メッセージは、基地局とSGW-Uとの間の第1のトンネルの、基地局側のTEIDを搬送し、基地局のアドレスを搬送する。タイマの計時時間が予め設定された時間に達する前に、SGW-CがMMEによって送信された変更ベアラ要求メッセージを受信した場合、SGW-Cは、基地局とSGW-Uとの間の第1のトンネルの、基地局側のTEIDおよび基地局のアドレスを、TEIDに対応するベアラのコンテキスト情報に追加して、トリガメッセージで搬送されたTEIDに従って、格納されているコンテキスト情報から対応するベアラのコンテキスト情報を取得し、再確立ベアラ・コンテキスト・メッセージをSGW-Uに送信し、再確立ベアラ・コンテキスト・メッセージは、ベアラのコンテキスト情報を搬送する。
【００７７】
タイマの計時時間が予め設定された時間に達する前に、MMEによって送信された変更ベアラ要求メッセージが受信されなかった場合、SGW-Cは、トリガメッセージで搬送されたTEIDに従って、SGW-Cに格納されているコンテキスト情報からベアラのコンテキスト情報を取得し、再確立ベアラ・コンテキスト・メッセージをSGW-Uに送信し、再確立ベアラ・コンテキスト・メッセージは、ベアラのコンテキスト情報を搬送する。
【００７８】
ステップ406：SGW-Uが、再確立ベアラ・コンテキスト・メッセージを受信し、再確立ベアラ・コンテキスト・メッセージで搬送されたコンテキスト情報に従ってデータパケットを送信する。
【００７９】
具体的には、SGW-Uは、再確立ベアラ・コンテキスト・メッセージを受信し、データパケットがアップリンク・データ・パケットである場合、SGW-Uは、コンテキスト情報に含まれている第2のトンネルの、PGW-U側のTEIDおよびPGW-Uのアドレスに従ってアップリンク・データ・パケットをPGW-Uに送信するか、あるいは、データパケットがダウンリンク・データ・パケットである場合、SGW-Uは、コンテキスト情報に含まれている第1のトンネルの、基地局側のTEIDおよび基地局のアドレスに従ってダウンリンク・データ・パケットを基地局に送信する。
【００８０】
任意選択的に、SGW-Uがサービス要求手順においてアップリンク・データ・パケットを受信しない場合、SGW-C内のベアラのコンテキスト情報は、以下の方式で回復され得る。
【００８１】
図４−４を参照すると、UEは、第1ステップから第6ステップに従ってサービス要求手順を開始し、SGW-Cにおいてベアラのコンテキスト情報が回復される。次に、SGW-Cは、変更ベアラ要求メッセージをSGW-Uに送信し、変更ベアラ要求メッセージは、ベアラのベアラ識別子を搬送する。SGW-Uは、変更ベアラ要求メッセージを受信し、SGW-Uが、変更ベアラ要求メッセージで搬送されたベアラ識別子に従って、SGW-Uはベアラのコンテキスト情報を含まないと判定した場合、SGW-Uは、変更ベアラ応答メッセージをSGW-Cに送信し、変更ベアラ応答メッセージは、ベアラ識別子および失敗指示メッセージを搬送し、失敗指示メッセージは、対応するベアラのコンテキスト情報を見つけることができないことを示す。SGW-Cは、変更ベアラ応答メッセージを受信し、再確立ベアラ・コンテキスト・メッセージをSGW-Uに送信し、再確立ベアラ・コンテキスト・メッセージは、ベアラ識別子に対応するベアラのコンテキスト情報を搬送する。
【００８２】
本発明のこの実施形態では、照合によって、SGW-UはTEIDに対応するベアラのコンテキスト情報を含まないと判定したとき、SGW-Uは、ベアラのコンテキスト情報を取得することを要求するためにトリガメッセージをSGW-Cに送信し、これにより、SGW-Uは、取得したコンテキスト情報に従ってデータパケットを送信することができる。これは、ユーザサービスの中断を防止し、ユーザ体験を向上させる。
【００８３】
図5を参照すると、本発明の一実施形態は、データパケット送信装置500を提供し、この装置は、
データパケットを受信し、データパケットで搬送されたTEIDに従って、対応するベアラのコンテキスト情報を照合するように構成される受信ユニット501と、
装置500が照合によって、装置500はベアラのコンテキスト情報を含まないと判定した場合に、トリガメッセージをSGW-Cに送信するように構成される送信ユニット502と
を含む。トリガメッセージはTEIDを搬送し、トリガメッセージは、TEIDに従ってベアラのコンテキスト情報を取得するためにSGW-Cによって使用される。
【００８４】
受信ユニット501は、SGW-Cによって送信される再確立ベアラ・コンテキスト・メッセージを受信するようにさらに構成される。再確立ベアラ・コンテキスト・メッセージは、ベアラのコンテキスト情報を搬送する。
【００８５】
送信ユニット502は、ベアラのコンテキスト情報に従ってデータパケットを送信するようにさらに構成される。
【００８６】
任意選択的に、受信ユニット501は、SGW-Cによって送信される変更ベアラ要求メッセージを受信するようにさらに構成される。変更ベアラ要求メッセージは、ベアラ識別子を搬送する。
【００８７】
送信ユニット502は、この装置がベアラ識別子に対応するベアラのコンテキスト情報を含まない場合に、変更ベアラ応答メッセージをSGW-Cに送信するようにさらに構成される。変更ベアラ応答メッセージは、ベアラ識別子と、この装置がコンテキスト情報を含まないことを示すために使用される指示情報とを搬送し、変更ベアラ応答メッセージは、ベアラ識別子に従ってベアラのコンテキスト情報を取得するためにSGW-Cによって使用される。
【００８８】
受信ユニット501は、SGW-Cによって送信される再確立ベアラ・コンテキスト・メッセージを受信するようにさらに構成される。再確立ベアラ・コンテキスト・メッセージは、ベアラのコンテキスト情報を搬送する。
【００８９】
本発明のこの実施形態では、照合によって、SGW-UはTEIDに対応するベアラのコンテキスト情報を含まないと判定したとき、SGW-Uは、ベアラのコンテキスト情報を取得することを要求するためにトリガメッセージをSGW-Cに送信し、これにより、SGW-Uは、取得したコンテキスト情報に従ってデータパケットを送信することができる。これは、ユーザサービスの中断を防止し、ユーザ体験を向上させる。
【００９０】
図6を参照すると、本発明の一実施形態は、データパケット送信装置600を提供し、この装置は、
SGW-Uによって送信されるトリガメッセージを受信するように構成される受信ユニット601であって、トリガメッセージがTEIDを搬送し、SGW-UがTEIDを搬送するデータパケットを受信し、かつSGW-UはTEIDに対応するベアラのコンテキスト情報を含まないと判定した後に、トリガメッセージが送信される、受信ユニット601と、
TEIDに従ってベアラのコンテキスト情報を取得するように構成される処理ユニット602と、
再確立ベアラ・コンテキスト・メッセージをSGW-Uに送信するように構成される送信ユニット603であって、再確立ベアラ・コンテキスト・メッセージがコンテキスト情報を搬送し、再確立ベアラ・コンテキスト・メッセージが、コンテキスト情報に従ってデータパケットを送信するためにSGW-Uによって使用される、送信ユニット603と
を含む。
【００９１】
任意選択的に、処理ユニット602は、トリガメッセージが受信されたときに計時を開始し、計時時間が予め設定された時間に達する前に、MMEによって送信される変更ベアラ要求メッセージが受信され、かつ変更ベアラ要求メッセージが、基地局とSGW-Uとの間の第1のトンネルの、基地局側のTEIDを搬送し、基地局のアドレスを搬送する場合、基地局側のTEIDおよび基地局のアドレスを、装置600に格納されている、TEIDに対応するベアラのコンテキスト情報に更新し、TEIDに従って、格納されているコンテキスト情報からベアラの更新されたコンテキスト情報を取得するように構成される。
【００９２】
任意選択的に、処理ユニット602は、計時時間が予め設定された時間に達したときにMMEによって送信される変更ベアラ要求メッセージが受信されていない場合、TEIDに従って、格納されているコンテキスト情報からベアラのコンテキスト情報を取得するように構成される。
【００９３】
任意選択的に、受信ユニット601は、モビリティ管理エンティティMMEによって送信される変更ベアラ要求メッセージを受信するようにさらに構成される。変更ベアラ要求メッセージは、基地局とSGW-Uとの間の第1のトンネルの、基地局側のTEIDを搬送し、基地局のアドレスを搬送する。
【００９４】
送信ユニット603は、再確立ベアラ・コンテキスト・メッセージをSGW-Uに送信するようにさらに構成され、再確立ベアラ・コンテキスト・メッセージが、ベアラのコンテキスト情報を搬送する。
【００９５】
任意選択的に、送信ユニット603は、変更ベアラ要求メッセージをSGW-Uに送信するようにさらに構成される。変更ベアラ要求メッセージは、ベアラ識別子を搬送し、ベアラ識別子は、SGW-Uがベアラのコンテキスト情報を含むかどうかを判定するためにSGW-Uによって使用される。
【００９６】
受信ユニット601は、SGW-Uがベアラのコンテキスト情報が含まれていないと判定したときに送信される変更ベアラ応答メッセージを受信するようにさらに構成される。
【００９７】
本発明のこの実施形態では、SGW-Uが、照合によって、SGW-UはTEIDに対応するベアラのコンテキスト情報を含まないと判定したとき、SGW-Cが、ベアラのコンテキスト情報をSGW-Uに送信し、これにより、SGW-Uは、コンテキスト情報に従ってデータパケットを送信することができる。これは、ユーザサービスの中断を防止し、ユーザ体験を向上させる。
【００９８】
当業者は、実施形態のステップの全部または一部が、ハードウェア、または関連するハードウェアに命令するプログラムによって実現され得ることを理解し得る。プログラムは、コンピュータ可読記憶媒体に格納されてもよい。記憶媒体は、リード・オンリ・メモリ、磁気ディスク、または光ディスクを含んでもよい。
【００９９】
上記の説明は、単に本発明の例示の実施形態であるが、本発明を限定することは意図されない。本発明の思想および原理から逸脱せずになされる任意の修正、同等の置換、および改善は、本発明の保護範囲内に含まれるものである。
【符号の説明】
【０１００】
200  SGW-U
201  受信機
202  送信機
203  プロセッサ
204  アプリケーションプログラム
205  データ
206  記憶媒体
207  電源
208  有線もしくは無線ネットワークインタフェース
209  入力／出力インタフェース
210  オペレーティングシステム
300  SGW-C
301  受信機
302  プロセッサ
303  送信機
304  アプリケーションプログラム
305  データ
306  記憶媒体
307  電源
308  有線もしくは無線ネットワークインタフェース
309  入力／出力インタフェース
500  データパケット送信装置
501  受信ユニット
502  送信ユニット
600  データパケット送信装置
601  受信ユニット
602  処理ユニット
603  送信ユニット
【図１】
2019506051.tif 000005
【図２】
2019506051.tif 000006
【図３】
2019506051.tif 000007
【図４−１】
2019506051.tif 000008
【図４−２】
2019506051.tif 000009
【図４−３】
2019506051.tif 000010
【図４−４】
2019506051.tif 000011
【図５】
2019506051.tif 000012
【図６】
2019506051.tif 000013
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
ユーザプレーン用サービングゲートウェイ（SGW-U）により、トンネル・エンドポイント識別子（TEID）を含むデータパケットを受信し、前記TEIDに対応するベアラのコンテキスト情報を照合するステップと、
前記SGW-Uが、照合によって、前記SGW-Uは前記ベアラの前記コンテキスト情報を含まないと判定した場合に、前記TEIDを制御プレーン用サービングゲートウェイ（SGW-C）に送信するステップと、
前記SGW-Cから再確立ベアラ・コンテキスト・メッセージを受信するステップであって、前記再確立ベアラ・コンテキスト・メッセージが、前記ベアラの前記コンテキスト情報を搬送する、ステップと、
前記ベアラの前記コンテキスト情報に従って前記データパケットを送信するステップと
を含む、データパケット送信方法。
【請求項２】
前記SGW-Cから変更ベアラ要求メッセージを受信するステップであって、前記変更ベアラ要求メッセージが、ベアラ識別子を搬送する、ステップと、
前記SGW-Uが前記ベアラ識別子に対応する前記ベアラの前記コンテキスト情報を含まない場合に、変更ベアラ応答メッセージを前記SGW-Cに送信するステップであって、前記変更ベアラ応答メッセージが、前記ベアラ識別子と、前記SGW-Uが前記コンテキスト情報を含まないことを示すために使用される指示情報とを搬送し、前記変更ベアラ応答メッセージが、前記ベアラ識別子に従って前記ベアラの前記コンテキスト情報を取得するために前記SGW-Cによって使用される、ステップと、
前記SGW-Cから前記再確立ベアラ・コンテキスト・メッセージを受信するステップであって、前記再確立ベアラ・コンテキスト・メッセージが、前記ベアラの前記コンテキスト情報を搬送する、ステップと
をさらに含む、請求項1に記載の方法。
【請求項３】
前記TEIDはトリガメッセージの中で前記SGW-Cに送信される、請求項1に記載の方法。
【請求項４】
制御プレーン用サービングゲートウェイ（SGW-C）により、ユーザプレーン用サービングゲートウェイ（SGW-U）からトンネル・エンドポイント識別子（TEID）を受信するステップと、
前記TEIDに対応するベアラのコンテキスト情報を取得するステップと、
再確立ベアラ・コンテキスト・メッセージを前記SGW-Uに送信するステップであって、前記再確立ベアラ・コンテキスト・メッセージが前記コンテキスト情報を搬送し、コンテキスト情報がデータパケット送信のために使用される、ステップと
を含む、データパケット送信方法。
【請求項５】
前記TEIDはトリガメッセージの中で前記SGW-Uから受信される、請求項4に記載の方法。
【請求項６】
前記TEIDに従って前記ベアラの前記コンテキスト情報を取得する前記ステップが、
前記トリガメッセージが受信されたときに計時を開始し、計時時間が予め設定された時間に達する前に、モビリティ管理エンティティ（MME）から変更ベアラ要求メッセージが受信され、かつ前記変更ベアラ要求メッセージが、基地局と前記SGW-Uとの間の第1のトンネルの、基地局側のTEIDを搬送し、前記基地局のアドレスを搬送する場合に、前記基地局側の前記TEIDおよび前記基地局の前記アドレスを、前記TEIDに対応する前記ベアラの前記コンテキスト情報に格納するステップと、
前記TEIDに従って、格納されているコンテキスト情報から前記ベアラの前記コンテキスト情報を取得するステップと
を含む、請求項5に記載の方法。
【請求項７】
前記TEIDに従って前記ベアラの前記コンテキスト情報を取得する前記ステップが、
前記計時時間が前記予め設定された時間に達したときに前記MMEから前記変更ベアラ要求メッセージが受信されていない場合に、前記TEIDに従って、前記格納されているコンテキスト情報から前記ベアラの前記コンテキスト情報を取得するステップ
をさらに含む、請求項6に記載の方法。
【請求項８】
データパケット送信装置であって、
トンネル・エンドポイント識別子（TEID）を含むデータパケットを受信し、前記TEIDに対応するベアラのコンテキスト情報を照合するように構成される受信ユニットと、
前記装置が、照合によって、前記装置は前記ベアラの前記コンテキスト情報を含まないと判定した場合に、前記TEIDを制御プレーン用サービングゲートウェイ（SGW-C）に送信するように構成される送信ユニットであって、トリガメッセージが前記TEIDを搬送する、送信ユニットと
を含み、
前記受信ユニットが、前記SGW-Cから再確立ベアラ・コンテキスト・メッセージを受信するようにさらに構成され、前記再確立ベアラ・コンテキスト・メッセージが、前記ベアラの前記コンテキスト情報を搬送し、
前記送信ユニットが、前記ベアラの前記コンテキスト情報に従って前記データパケットを送信するようにさらに構成される、装置。
【請求項９】
前記受信ユニットが、前記SGW-Cから変更ベアラ要求メッセージを受信するようにさらに構成され、前記変更ベアラ要求メッセージが、ベアラ識別子を搬送し、
前記送信ユニットが、前記装置が前記ベアラ識別子に対応する前記ベアラの前記コンテキスト情報を含まない場合に、変更ベアラ応答メッセージを前記SGW-Cに送信するようにさらに構成され、前記変更ベアラ応答メッセージが、前記ベアラ識別子と、前記装置が前記コンテキスト情報を含まないことを示すために使用される指示情報とを搬送し、
前記受信ユニットが、前記SGW-Cから前記再確立ベアラ・コンテキスト・メッセージを受信するようにさらに構成され、前記再確立ベアラ・コンテキスト・メッセージが、前記ベアラの前記コンテキスト情報を搬送する、請求項8に記載の装置。
【請求項１０】
前記TEIDはトリガメッセージの中で前記SGW-Cに送信される、請求項8に記載の装置。
【請求項１１】
データパケット送信装置であって、
ユーザプレーン用サービングゲートウェイ（SGW-U）からトンネル・エンドポイント識別子（TEID）を受信するように構成される受信ユニットと、
前記TEIDに対応するベアラのコンテキスト情報を取得するように構成される処理ユニットと、
再確立ベアラ・コンテキスト・メッセージを前記SGW-Uに送信するように構成される送信ユニットであって、前記再確立ベアラ・コンテキスト・メッセージが前記コンテキスト情報を搬送し、前記コンテキスト情報はデータパケット送信のために使用される、送信ユニットと
を含む、装置。
【請求項１２】
前記TEIDはトリガメッセージの中で前記SGW-Uから受信される、請求項11に記載の装置。
【請求項１３】
前記処理ユニットが、前記トリガメッセージが受信されたときに計時を開始し、計時時間が予め設定された時間に達する前に、モビリティ管理エンティティ（MME）から変更ベアラ要求メッセージが受信され、かつ前記変更ベアラ要求メッセージが、基地局と前記SGW-Uとの間の第1のトンネルの、基地局側のTEIDを搬送し、前記基地局のアドレスを搬送する場合に、前記基地局側の前記TEIDおよび前記基地局の前記アドレスを、前記TEIDに対応する前記ベアラの前記コンテキスト情報に格納し、前記TEIDに従って、格納されているコンテキスト情報から前記ベアラの前記コンテキスト情報を取得するように構成される、請求項12に記載の装置。
【請求項１４】
前記処理ユニットが、前記計時時間が前記予め設定された時間に達したときに前記MMEから前記変更ベアラ要求メッセージが受信されていない場合に、前記TEIDに従って、前記格納されているコンテキスト情報から前記ベアラの前記コンテキスト情報を取得するようにさらに構成される、請求項13に記載の装置。
【国際調査報告】
2019506051.tif 000014
2019506051.tif 000015
2019506051.tif 000016
2019506051.tif 000017